【手続補正書】
【提出日】平成18年7月6日(2006.7.6)
【手続補正１】
【補正対象書類名】特許請求の範囲
【補正対象項目名】全文
【補正方法】変更
【補正の内容】
【特許請求の範囲】
【請求項１】
電子文書に秘匿情報を埋め込んで印刷する透かし入り文書印刷装置と，前記透かし入り文書を読み取って前記秘匿情報を取り出す透かし入り文書読み取り装置とを含む印刷物処理システムであって，
前記透かし入り文書印刷装置は，
電子文書データを紙面に印刷する画像に変換する文書画像形成部と，
埋め込みデータを任意のデータ長に分割する分割符号化部と，
分割された各埋め込みデータブロックに対して誤り検出・訂正できるような符号化を行う誤り検出・訂正符号作成部と，
誤り訂正符号化された前記埋め込みデータから各符号化データをパターン画像に変換して紙面上の指定された分割領域に各々配置した透かし画像を作成する透かし画像形成部と，
前記文書画像形成部で作成された文書画像と前記透かし画像形成部で作成された透かし画像とを合成する透かし入り文書画像合成部と，
前記透かし入り文書画像合成部で作成された透かし入り文書画像を印刷する印刷部と，を備え，
前記透かし入り文書読み取り装置は，
前記透かし入り印刷文書を画像として読み取る印刷文書スキャン部と，
前記印刷文書スキャン部で読み取った透かし入り文書画像から前記透かし画像に埋め込まれたパターン画像を抽出する透かし画像抽出部と，
各分割領域について誤り検出・訂正符号を復号化するとともに，復号処理の結果，誤り訂正ができなかった分割領域に関する情報を前記印刷文書スキャン部にフィードバックする埋め込みデータ復号化部と，
誤り訂正符号の復号化を行う誤り検出・訂正処理部と，
を備えたことを特徴とする，印刷物処理システム。
【請求項２】
前記透かし入り文書読み取り装置は，前記埋め込みデータ復号化部よりフィードバックされた画像情報をもとに前記印刷文書スキャン部のパラメータを変更するスキャンパラメータ設定部をさらに備えたことを特徴とする，請求項１に記載の印刷物処理システム。
【請求項３】
前記透かし入り文書読み取り装置は，復号化できなかった分割領域からエラー原因を判定するエラー原因判定部と，エラー原因をもとにユーザに指示を与えるユーザ操作指示部をさらに備えたことを特徴とする，請求項１または２に記載の印刷物処理システム。
【請求項４】
前記透かし入り文書読み取り装置は，復号化に失敗した領域の画像情報をもとに前記透かし画像抽出部の処理パラメータを設定する抽出パラメータ設定部をさらに備えたことを特徴とする，請求項１〜３のいずれかに記載の印刷物処理システム。
【請求項５】
前記透かし入り文書読み取り装置は，前記印刷文書スキャン部へのパラメータを指示するスキャンパラメータ設定部と，前記印刷文書スキャン部で取得された透かし入り文書画像を複数個格納する画像バッファ部をさらに備え，
前記印刷文書スキャン部は，前記透かし入り印刷文書を複数回スキャンすることを特徴とする，請求項１〜４のいずれかに記載の印刷物処理システム。
【請求項６】
前記透かし入り文書読み取り装置は，前記画像バッファ部に記憶されている画像について復号化に適した画質を選定する良好画質判定部をさらに備えたことを特徴とする，請求項５に記載の印刷物処理システム。
【請求項７】
前記透かし入り文書読み取り装置は，
前記透かし入り文書印刷装置の誤り検出・訂正符号作成部と同様の処理を行う誤り検出・訂正符号作成部と，
前記埋め込みデータ復号化部から出力される埋め込みデータから，前記透かし入り文書印刷装置の符号化部と同様の方法で画像全体に埋め込まれている情報を決定する情報復元手段と，
前記情報復元手段から得られる情報と，前記透かし画像抽出部から得られる情報とを比較し，パターン画像単位で誤り判定するエラー判定手段と，をさらに備えたことを特徴とする，請求項１〜６のいずれかに記載の印刷物処理システム。
【請求項８】
前記透かし画像形成部は，前記パターン画像を紙面上の指定された分割領域に配置する際に，前記分割領域の面積に合うように足りない部分は任意のデータで埋めることを特徴とする，請求項１〜７のいずれかに記載の印刷物処理システム。
【請求項９】
前記透かし入り文書読み取り装置は，最終的に復号化できなかった分割領域を表示する表示部をさらに備えたことを特徴とする，請求項１〜８のいずれかに記載の印刷物処理システム。
【請求項１０】
電子文書に秘匿情報を埋め込んで印刷する透かし入り文書印刷装置であって，
電子文書データを紙面に印刷する画像に変換する文書画像形成部と，
埋め込みデータを任意のデータ長に分割する分割符号化部と，
分割された各埋め込みデータブロックに対して誤り検出・訂正できるような符号化を行う誤り検出・訂正符号作成部と，
誤り訂正符号化された前記埋め込みデータから各符号化データをパターン画像に変換して紙面上の指定された分割領域に各々配置した透かし画像を作成する透かし画像形成部と，
前記文書画像形成部で作成された文書画像と前記透かし画像形成部で作成された透かし画像とを合成する透かし入り文書画像合成部と，
前記透かし入り文書画像合成部で作成された透かし入り文書画像を印刷する印刷部と，
を備えたことを特徴とする，透かし入り文書印刷装置。
【請求項１１】
前記透かし画像形成部は，前記パターン画像を紙面上の指定された分割領域に配置する際に，前記分割領域の面積に合うように足りない部分は任意のデータで埋めることを特徴とする，請求項１０に記載の透かし入り文書印刷装置。
【請求項１２】
透かし入り文書を読み取って秘匿情報を取り出す透かし入り文書読み取り装置であって，
前記透かし入り印刷文書を画像として読み取る印刷文書スキャン部と，
前記印刷文書スキャン部で読み取った透かし入り文書画像から前記透かし画像に埋め込まれたパターン画像を抽出する透かし画像抽出部と，
各分割領域について誤り検出・訂正符号を復号化するとともに，復号処理の結果，誤り訂正ができなかった分割領域に関する情報を前記印刷文書スキャン部にフィードバックする埋め込みデータ復号化部と，
誤り訂正符号の復号化を行う誤り検出・訂正処理部と，
備えたことを特徴とする，透かし入り文書読み取り装置。
【請求項１３】
前記埋め込みデータ復号化部よりフィードバックされた画像情報をもとに前記印刷文書スキャン部のパラメータを変更するスキャンパラメータ設定部をさらに備えたことを特徴とする，請求項１２に記載の透かし入り文書読み取り装置。
【請求項１４】
復号化できなかった分割領域からエラー原因を判定するエラー原因判定部と，エラー原因をもとにユーザに指示を与えるユーザ操作指示部をさらに備えたことを特徴とする，請求項１２または１３に記載の透かし入り文書読み取り装置。
【請求項１５】
復号化に失敗した領域の画像情報をもとに前記透かし画像抽出部の処理パラメータを設定する抽出パラメータ設定部をさらに備えたことを特徴とする，請求項１２〜１４のいずれかに記載の透かし入り文書読み取り装置。
【請求項１６】
前記印刷文書スキャン部へのパラメータを指示するスキャンパラメータ設定部と，前記印刷文書スキャン部で取得された透かし入り文書画像を複数個格納する画像バッファ部をさらに備え，
前記印刷文書スキャン部は，前記透かし入り印刷文書を複数回スキャンすることを特徴とする，請求項１２〜１５のいずれかに記載の透かし入り文書読み取り装置。
【請求項１７】
前記画像バッファ部に記憶されている画像について復号化に適した画質を選定する良好画質判定部をさらに備えたことを特徴とする，請求項１６に記載の透かし入り文書読み取り装置。
【請求項１８】
電子文書に前記秘匿情報を埋め込んで印刷する透かし入り文書印刷装置に備えられた誤り検出・訂正符号作成部と同様の処理を行う誤り検出・訂正符号作成部と，
前記埋め込みデータ復号化部から出力される埋め込みデータから，前記透かし入り文書印刷装置に備えられた符号化部と同様の方法で画像全体に埋め込まれている情報を決定する情報復元手段と，
前記情報復元手段から得られる情報と，前記透かし画像抽出部から得られる情報とを比較し，パターン画像単位で誤り判定するエラー判定手段と，をさらに備えたことを特徴とする，請求項１２〜１７のいずれかに記載の透かし入り文書読み取り装置。
【請求項１９】
最終的に復号化できなかった分割領域を表示する表示部をさらに備えたことを特徴とする，請求項１２〜１８のいずれかに記載の透かし入り文書読み取り装置。
【請求項２０】
電子文書に秘匿情報を埋め込んで印刷する透かし入り文書印刷工程と，前記透かし入り文書を読み取って前記秘匿情報を取り出す透かし入り文書読み取り工程を含む印刷物処理方法であって，
前記透かし入り文書印刷工程は，
電子文書データを紙面に印刷する画像に変換する文書画像形成工程と，
埋め込みデータを任意のデータ長に分割する分割符号化工程と，
分割された各埋め込みデータブロックに対して誤り検出・訂正できるような符号化を行う誤り検出・訂正符号作成工程と，
誤り訂正符号化された前記埋め込みデータから各符号化データをパターン画像に変換して紙面上の指定された分割領域に各々配置した透かし画像を作成する透かし画像形成工程と，
前記文書画像形成工程で作成された文書画像と前記透かし画像形成工程で作成された透かし画像とを合成する透かし入り文書画像合成工程と，
前記透かし入り文書画像合成工程で作成された透かし入り文書画像を印刷する印刷工程と，
を含み，
前記透かし入り文書読み取り工程は，
前記透かし入り印刷文書を画像として読み取る印刷文書スキャン工程と，
前記印刷文書スキャン工程で読み取った透かし入り文書画像から前記透かし画像に埋め込まれたパターン画像を抽出する透かし画像抽出工程と，
各分割領域について誤り検出・訂正符号を復号化するとともに，復号処理の結果，誤り訂正ができなかった分割領域に関する情報を前記印刷文書スキャン工程にフィードバックする埋め込みデータ復号工程と，
誤り訂正符号の復号化を行う誤り検出・訂正処理工程と，
を含むことを特徴とする，印刷物処理方法。
【請求項２１】
前記透かし入り文書読み取り工程は，前記埋め込みデータ復号化工程によりフィードバックされた画像情報をもとに前記印刷文書スキャン工程におけるパラメータを変更するスキャンパラメータ設定工程をさらに含むことを特徴とする，請求項２０に記載の印刷物処理方法。
【請求項２２】
前記透かし入り文書読み取り工程は，復号化できなかった分割領域からエラー原因を判定するエラー原因判定工程と，エラー原因をもとにユーザに指示を与えるユーザ操作指示工程をさらに含むことを特徴とする，請求項２０または２１に記載の印刷物処理方法。
【請求項２３】
前記透かし入り文書読み取り工程は，復号化に失敗した領域の画像情報をもとに前記透かし画像抽出工程の処理パラメータを設定する抽出パラメータ設定工程をさらに含むことを特徴とする，請求項２０〜２２のいずれかに記載の印刷物処理方法。
【請求項２４】
前記透かし入り文書読み取り工程は，前記印刷文書スキャン工程におけるパラメータを指示するスキャンパラメータ設定工程と，前記印刷文書スキャン工程において取得された透かし入り文書画像を複数個格納する画像バッファ工程をさらに含み，
前記印刷文書スキャン工程は，前記透かし入り印刷文書を複数回スキャンすることを特徴とする，請求項２０〜２３のいずれかに記載の印刷物処理方法。
【請求項２５】
前記透かし入り文書読み取り工程は，前記画像バッファ工程において記憶されている画像について復号化に適した画質を選定する良好画質判定工程をさらに含むことを特徴とする，請求項２４に記載の印刷物処理方法。
【請求項２６】
前記透かし入り文書読み取り工程は，
前記透かし入り文書印刷工程における誤り検出・訂正符号作成工程と同様の処理を行う誤り検出・訂正符号作成工程と，
前記埋め込みデータ符号化工程において出力される埋め込みデータから，前記透かし入り文書印刷工程の符号化工程と同様の方法で画像全体に埋め込まれている情報を決定する情報復元工程と，
前記情報復元工程において得られる情報と，前記透かし画像抽出工程において得られる情報とを比較し，パターン画像単位で誤り判定するエラー判定工程と，
をさらに含むことを特徴とする，請求項２０〜２５のいずれかに記載の印刷物処理方法。
【請求項２７】
前記透かし画像形成工程において，前記パターン画像を紙面上の指定された分割領域に配置する際に，前記分割領域の面積に合うように足りない部分は任意のデータで埋めることを特徴とする，請求項２０〜２６のいずれかに記載の印刷物処理方法。
【請求項２８】
前記透かし入り文書読み取り工程は，最終的に復号化できなかった分割領域を表示する表示工程をさらに含むことを特徴とする，請求項２０〜２７のいずれかに記載の印刷物処理方法。
【請求項２９】
ある空間的周期を持つパターンが規則的に配置されている画像からパターンに対応した情報を読み取る情報読み取り装置であって，
画像から情報を読み取る情報抽出手段と，
前記抽出した情報からエラーを検出するエラー検出手段と，
前記検出したエラーの位置に対応した画像上の位置を決定するエラー範囲判定手段と，
を備えたことを特徴とする，情報読み取り装置。
【請求項３０】
前記エラー検出手段は，
前記情報抽出手段から得られる情報に対して誤り訂正処理を行い，訂正できなかった誤りのみをエラーとして検出することを特徴とする，請求項２９に記載の情報読み取り装置。
【請求項３１】
さらに，
前記情報抽出手段の読み取った情報の誤りを訂正する誤り訂正手段と，
訂正後の情報を元に，画像に記録されている全情報を復元する情報復元手段と，
復元した情報から画像に記録されているパターンを特定し，情報抽出手段によって特定されたパターンを比較し，画像上のパターン単位でエラーを判定するエラー判定手段と，
を備えたことを特徴とする，請求項２９または３０に記載の情報読み取り装置。
【請求項３２】
前記エラー範囲判定手段は，
画像上のエラーパターンの空間的密度から，エラー範囲を決定することを特徴とする，請求項２９〜３１のいずれかに記載の情報読み取り装置。
【請求項３３】
さらに，印刷物を読み取って前記画像を得る印刷物読み取り手段を備えたことを特徴とする，請求項２９〜３２のいずれかに記載の情報読み取り装置。
【請求項３４】
前記印刷物読み取り手段は，
画像上で検出したエラー範囲に相当する部分画像を，前記印刷物から再度読み取ることを特徴とする，請求項３３に記載の情報読み取り装置。
【請求項３５】
さらに，
画像上で検出したエラー範囲に相当する部分画像を前記印刷物から再度読み取る指示を，前記印刷物読み取り手段に対して行う指示手段を備えたことを特徴とする，請求項２９〜３４のいずれかに記載の情報読み取り装置。
【請求項３６】
さらに，画像上で検出したエラー範囲を，画像上に視覚上知覚できる形で表示する表示手段を備えたことを特徴とする，請求項２９〜３５のいずれかに記載の情報読み取り装置。
【請求項３７】
ある空間的周期を持つパターンが規則的に配置されている画像からパターンに対応した情報を読み取る情報読み取り方法であって，
画像から情報を読み取る情報抽出工程と，
前記抽出した情報からエラーを検出するエラー検出工程と，
前記検出したエラーの位置に対応した画像上の位置を決定するエラー範囲判定工程と，
を含むことを特徴とする，情報読み取り方法。
【請求項３８】
前記エラー検出工程において，
前記情報抽出工程で得られる情報に対して誤り訂正処理を行い，訂正できなかった誤りのみをエラーとして検出することを特徴とする，請求項３７に記載の情報読み取り方法。
【請求項３９】
さらに，
前記情報抽出工程で読み取った情報の誤りを訂正する誤り訂正工程と，
訂正後の情報を元に，画像に記録されている全情報を復元する情報復元工程と，
復元した情報から画像に記録されているパターンを特定し，情報抽出工程で特定されたパターンを比較し，画像上のパターン単位でエラーを判定するエラー判定工程と，
を含むことを特徴とする，請求項３７または３８に記載の情報読み取り方法。
【請求項４０】
前記エラー範囲判定工程において，
画像上のエラーパターンの空間的密度から，エラー範囲を決定することを特徴とする，請求項３７〜３９のいずれかに記載の情報読み取り方法。
【請求項４１】
さらに，印刷物を読み取って前記画像を得る印刷物読み取り工程を含むことを特徴とする，請求項３７〜４０のいずれかに記載の情報読み取り方法。
【請求項４２】
画像上で検出したエラー範囲に相当する部分画像を，前記印刷物から再度読み取ることを特徴とする，請求項４１に記載の情報読み取り方法。
【請求項４３】
さらに，
画像上で検出したエラー範囲に相当する部分画像を前記印刷物から再度読み取る指示を行う指示工程を含むことを特徴とする，請求項３７〜４２のいずれかに記載の情報読み取り方法。
【請求項４４】
さらに，画像上で検出したエラー範囲を，画像上に視覚上知覚できる形で表示する表示工程を含むことを特徴とする，請求項３７〜４３のいずれかに記載の情報読み取り方法。
【手続補正２】
【補正対象書類名】明細書
【補正対象項目名】０００８
【補正方法】変更
【補正の内容】
【０００８】
透かし入り文書印刷装置（１００）は，電子文書データ（１）を紙面に印刷する画像に変換する文書画像形成部（１０１）と，埋め込みデータ（２）を任意のデータ長に分割する分割符号化部（１０２）と，分割された各埋め込みデータブロックに対して誤り検出・訂正できるような符号化を行う誤り検出・訂正符号作成部（１０３）と，誤り訂正符号化された埋め込みデータから各符号化データをパターン画像に変換して紙面上の指定された分割領域に各々配置した透かし画像を作成する透かし画像形成部（１０４）と，文書画像形成部で作成された文書画像と透かし画像形成部で作成された透かし画像とを合成する透かし入り文書画像合成部（１０５）と，透かし入り文書画像合成部で作成された透かし入り文書画像を印刷する印刷部（１０６）とを備えたことを特徴とする。
【手続補正３】
【補正対象書類名】明細書
【補正対象項目名】００２５
【補正方法】変更
【補正の内容】
【００２５】
本発明の第２の観点によれば，電子文書に秘匿情報を埋め込んで印刷する透かし入り文書印刷装置が提供される。本発明の透かし入り文書印刷装置は，電子文書データ（１）を紙面に印刷する画像に変換する文書画像形成部（１０１）と，埋め込みデータ（２）を任意のデータ長に分割する分割符号化部（１０２）と，分割された各埋め込みデータブロックに対して誤り検出・訂正できるような符号化を行う誤り検出・訂正符号作成部（１０３）と，誤り訂正符号化された埋め込みデータから各符号化データをパターン画像に変換して紙面上の指定された分割領域に各々配置した透かし画像を作成する透かし画像形成部（１０４）と，文書画像形成部で作成された文書画像と透かし画像形成部で作成された透かし画像とを合成する透かし入り文書画像合成部（１０５）と，透かし入り文書画像合成部で作成された透かし入り文書画像を印刷する印刷部（１０６）と，を備えたことを特徴とする（請求項１０）。
【手続補正４】
【補正対象書類名】明細書
【補正対象項目名】００３１
【補正方法】変更
【補正の内容】
【００３１】
透かし入り文書印刷工程は，電子文書データを紙面に印刷する画像に変換する文書画像形成工程と，埋め込みデータを任意のデータ長に分割する分割符号化工程と，分割された各埋め込みデータブロックに対して誤り検出・訂正できるような符号化を行う誤り検出・訂正符号作成工程と，誤り訂正符号化された埋め込みデータから各符号化データをパターン画像に変換して紙面上の指定された分割領域に各々配置した透かし画像を作成する透かし画像形成工程と，文書画像形成工程で作成された文書画像と透かし画像形成工程で作成された透かし画像とを合成する透かし入り文書画像合成工程と，透かし入り文書画像合成工程で作成された透かし入り文書画像を印刷する印刷工程と，を含む。